(57)【要約】【課題】光学ベースの上面とアクチュエータユニットのベース部材との間に確保されている隙間空間に埃が侵入することを防止する。【解決手段】アクチュエータユニット１０は、光学アクチュエータ２０が取り付けられたベース部材１１にカバー３０が装着されてなる。光学ベース５０に、アクチュエータユニット１０が隙間空間Ｓを保持した状態で取り付けられている。カバー３０の側板部３３，３４と光学ベース５０側の相手面６４とによって遮蔽機構６０が形成されている。遮蔽機構６０は、カバー３０の側板部３３，３４を隙間空間Ｓに臨む位置まで延長することにより当該側板部３３，３４に具備された延長片部６２と、相手面６４とによって形成されている。相手面６４は、延長片部６２が挿入された溝形部６３の内壁面によって形成することが可能である。【選択図】図３
2012155809.tif 000002
【特許請求の範囲】
【請求項１】
対物レンズを有する光学アクチュエータが取り付けられたベース部材に、上記光学アクチュエータを覆いかつ上記対物レンズに臨む開口を備えたカバーが装着されてなるアクチュエータユニットと、このアクチュエータユニットが、そのベース部材との間に隙間空間を保持した状態で取り付けられた光学ベースと、を備える光ピックアップにおいて、
上記カバーに具備されている側板部と上記光学ベースに形成されて上記側板部に対面する相手面とによって形成される遮蔽機構により、上記隙間空間がその外部から遮蔽されていることを特徴とする光ピックアップ。
【請求項２】
上記遮蔽機構が、上記カバーの側板部を上記隙間空間に臨む位置まで延長することにより当該側板部に具備された延長片部と、上記相手面と、によって形成されている請求項１に記載した光ピックアップ。
【請求項３】
上記遮蔽機構が、上記カバーの側板部の端部を上記隙間空間に臨む位置まで延長することにより当該側板部に具備された延長片部と、上記光学ベースに形成されて上記延長片部が挿入された溝形部の内壁面でなる上記相手面と、によって形成されている請求項１に記載した光ピックアップ。
【請求項４】
上記溝形部が、上記ベース部材に対面する上記光学ベースの上面に形成されている請求項３に記載した光ピックアップ。
【請求項５】
上記延長片部が、上記相手面に接触して重なり合っている請求項２又は請求項３に記載した光ピックアップ。
【請求項６】
上記遮蔽機構が、カバーの上記側板部と、上記ベース部材に対面する上記光学ベースの上面に立ち上げられて上記ベース部材の側端面との対向位置に達する高さを備えた面でなる上記相手面と、によって形成されている請求項１に記載した光ピックアップ。
【発明の詳細な説明】
【技術分野】
【０００１】
本発明は、光ピックアップ、特に、光学ベースとその光学ベースに取り付けられたアクチュエータユニットのベース部材との間に形成された隙間空間に、微細な埃が侵入することを防ぐための対策が講じられた光ピックアップに関する。
【背景技術】
【０００２】
記録媒体であるディスクの記録面を光学的に走査する機能を備えた光ピックアップは、発光素子や受光素子、ミラー、その他の光学部品が組み付けられた光学ベースに、対物レンズや電磁駆動手段を備えた光学アクチュエータを取り付けることによって構成されている。
【０００３】
この種の光ピックアップに採用されている光学アクチュエータにおいて、対物レンズが装着されているレンズホルダーは、上記の電磁駆動手段の作用によって、フォーカス方向やトラッキング方向などの多方向に変位可能にベース部材に取り付けられている。レンズホルダーを多方向変位可能にベース部材に取り付けるための構成としては、たとえば、ベース部材側に固定した配線基板から片持ち状に延び出させた複数本のワイヤーの端部にレンズホルダーを取り付ける、といった手段が多々採用されている。また、光学アクチュエータは、上記の電磁駆動手段を形成しているコイル類を備えている。そして、このような光学アクチュエータを、ベース部材に固着したカバーによって覆っておくと、そのカバーによって、光学アクチュエータの構成部品を防塵したり保護したりすることが可能になるという利点や、レンズホルダーの変位範囲を規制したりすることのできる利点がある。そこで、ある種の光ピックアップでは、光学アクチュエータを覆い、かつ、対物レンズに臨む開口を備えたカバーをベース部材に装着してなるアクチュエータユニットを、光学ベースに取り付けることが行われている。
【０００４】
光ピックアップでは、発光素子から出射された光ビームが、光学ベースに組み付けられた上記の光学部品によって形成される所定の光路を通過し、光学アクチュエータの対物レンズの作用でディスクの記録面に集光される。また、ディスクの記録面からの戻り光ビームが、対物レンズを通過し、上記の光学部品によって形成される所定の光路を通過して受光素子により受光される。このような光ピックアップの光学的処理性能を向上させるためには、ディスクの記録面に対して光学アクチュエータの対物レンズの光軸を垂直に定めておくことが有益であるとされている。このことにより、光学アクチュエータを備える上記アクチュエータユニットを光学ベースに取り付ける工程では、そのアクチュエータユニットを光学ベースから少し浮き上がらせた状態でその傾き調整が行われる。
【０００５】
図９は従来例としての光ピックアップに採用されているアクチュエータユニット１０を例示した概略斜視図、図１０は従来例としての光ピックアップの要部を例示した概略斜視図である。
【０００６】
図９のアクチュエータユニット１０において、ベース部材１１は金属製の平板に、所定の曲げ加工や打抜き加工を行うことによって形成されている。このベース部材１１には、光学アクチュエータ２０がフォーカス方向及びトラッキング方向などの多方向に変位可能に取り付けられている。光学アクチュエータ２０を覆っているカバー３０は板金製であり、光学アクチュエータ２０のレンズホルダー２１に装着された対物レンズ２２に臨む開口３２を備えた天板部３１と、この天板部３１の両側に屈曲形成された前後の側板部３３，３４と、天板部３１の一端側に屈曲形成された取付け片部３５とを備えている。そして、側板部３３，３４の端縁部の所定箇所がベース部材１１の前後の側端面１２（後側の側端面１３については図１１参照）に固定されていると共に、上記取付け片部３５が、ベース部材１１に形成された立上り部１４に固定されている。
【０００７】
このアクチュエータユニット１０において、カバー３０は、光学アクチュエータ２０を防塵することに役立っているほか、光学アクチュエータ２０のレンズホルダー２１の変位時の上限位置を規制することにも役立っている。
【０００８】
図１０のように、アクチュエータユニット１０は、光学ベース５０の略平坦な上面５１の所定位置に取り付けられる。取り付けには、接着剤５２による接合方法やその他の公知の取付け方法が採用される。光ピックアップによるディスクの記録面の光学的走査モードでは、光学ベース５０がディスクの半径方向に走行される。
【０００９】
図１１は光学ベース５０とその光学ベース５０に取り付けられたアクチュエータユニット１０との位置関係を説明的に示した概略垂直断面図である。冒頭で説明したように、光学ベース５０にアクチュエータユニット１０を取り付ける工程では、アクチュエータユニット１０を光学ベース５０から少し浮き上がらせた状態でその傾き調整が行われる。すなわち、傾き調整は、図１１に示した対物レンズ２２の光軸Ｌを、たとえば矢印Ｍのように任意方向に振る作業を通じて行われ、そのような傾き調整を行った後に、アクチュエータユニット１０が、光学ベース５０の上面５１に、図１０に示した接着剤５２による接合方法などを採用して固定される。したがって、光学ベース５０の上面５１とアクチュエータユニット１０のベース部材１１との相互間には、上記の傾き調整を行う際に利用された隙間空間がそのまま残る。図１０及び図１１には、この隙間空間を符号Ｓで示してある。
【００１０】
一方、ベース部材に、光学アクチュエータを覆うカバーを取り付けることは従来より公知である（たとえば、特許文献１、特許文献２、特許文献３、特許文献４参照）。そして、ここで掲げた特許文献１には、カバーの側面と光学ベースとの隙間を光軸調整に利用すること、その隙間からこの埃の侵入を防止すること、などについての記述がなされている。また、特許文献２には、カバーがレンズホルダーの上限位置を規制する作用を発揮することについての記載がある。
【先行技術文献】
【特許文献】
【００１１】
【特許文献１】特開平１１−２３２６７８号公報（０００４，０００５，図２，図３）
【特許文献２】特開２００５−１９６９３９号公報
【特許文献３】特開平９−９７４４１号公報
【特許文献４】特許第３９３０７５３号公報
【発明の概要】
【発明が解決しようとする課題】
【００１２】
冒頭で説明した従来例としての光ピックアップのように、光学ベース５０の上面５１とその上面５１に取り付けられたアクチュエータユニット１０のベース部材１１との間に、傾き調整のために利用された隙間空間Ｓがそのまま残っていると、図１１に矢印Ｗによって例示したように、その隙間空間Ｓに微細な埃が侵入し、その埃が光学ベース５０に形成されている光通過孔５３を経てその光学ベース５０に組み付けられているミラーなどの光学部品５４に付着して信号を劣化させてしまうおそれがあるという問題があった。この問題は、上掲の特許文献１〜４によって提案されている技術によっては到底解決することができない。
【００１３】
本発明は、以上の問題を改善するためになされたものであり、余分な部品を追加することなく、アクチュエータユニットのカバー又は光学ベースのうちの両方の構成、又は、それらのうちの光学ベースの構成を局部的に変更するだけで、光学ベースの上面とアクチュエータユニットのベース部材との間に確保されている隙間空間に埃が侵入することを防止することが可能な光ピックアップを提供することを目的とする。
【課題を解決するための手段】
【００１４】
本発明に係る光ピックアップは、対物レンズを有する光学アクチュエータが取り付けられたベース部材に、上記光学アクチュエータを覆いかつ上記対物レンズに臨む開口を備えたカバーが装着されてなるアクチュエータユニットと、このアクチュエータユニットが、そのベース部材との間に隙間空間を保持した状態で取り付けられた光学ベースと、を備えている。そして、上記カバーに具備されている側板部と上記光学ベースに形成されて上記側板部に対面する相手面とによって形成される遮蔽機構により、上記隙間空間がその外部から遮蔽されている。
【００１５】
このように構成された光ピックアップによれば、カバーの側板部とその側板部に対面している光学ベース側の相手面とによって、アクチュエータユニットのベース部材と光学ベースとの間の隙間空間がその外部から遮蔽される。そのため、隙間空間への埃の侵入が防止され、ひいては、その埃が光学ベースに組み付けられているミラーなどの光学部品に付着することも防止される。また、遮蔽機構が、カバーの側板部とその側板部に対面している光学ベース側の相手面とによって形成されていることにより、隙間空間への埃の侵入を防止するために余分な部品を追加する必要がない。
【００１６】
本発明では、上記遮蔽機構が、上記カバーの側板部を上記隙間空間に臨む位置まで延長することにより当該側板部に具備された延長片部と、上記相手面と、によって形成されている、という構成を採用することが可能である。
【００１７】
また、本発明では、上記遮蔽機構が、上記カバーの側板部の端部を上記隙間空間に臨む位置まで延長することにより当該側板部に具備された延長片部と、上記光学ベースに形成されて上記延長片部が挿入された溝形部の内壁面でなる上記相手面と、によって形成されている、という構成を採用することも可能である。この場合には、上記溝形部が、上記ベース部材に対面する上記光学ベースの上面に形成されている、という構成を採用することができる。
【００１８】
また、本発明では、上記延長片部が、上記相手面に接触して重なり合っていてもよい。さらに、上記遮蔽機構が、カバーの上記側板部と、上記ベース部材に対面する上記光学ベースの上面に立ち上げられて上記ベース部材の側端面との対向位置に達する高さを備えた面でなる上記相手面と、によって形成されている、という構成を採用することも可能である。
【発明の効果】
【００１９】
以上説明したように、本発明に係る光ピックアップによると、光学ベースとアクチュエータユニットのベース部材との間の傾き調整のための隙間空間に微細な埃が侵入することを遮蔽機構の作用を利用して防止することができる。そのため、埃が光学ベースに組み付けられているミラーなどの光学部品に付着して信号を劣化させてしまうという事態が抑制され、光ピックアップによるディスクの記録面の走査性能が向上するという効果が奏される。
【図面の簡単な説明】
【００２０】
【図１】本発明の実施形態に係る光ピックアップの要部の概略斜視図である。
【図２】図１の実施形態の変形例による光ピックアップの概略平面図である。
【図３】遮蔽機構を有する光ピックアップを説明的に示した概略縦断面図である。
【図４】遮蔽機構の他の形態を説明的に示した要部の概略断面図である。
【図５】遮蔽機構の他の形態を説明的に示した要部の概略断面図である。
【図６】遮蔽機構のさらに他の形態を説明的に示した要部の概略断面図である。
【図７】遮蔽機構のさらに他の形態を説明的に示した要部の概略断面図である。
【図８】遮蔽機構のさらに他の形態を説明的に示した要部の概略断面図である。
【図９】従来例に採用されているアクチュエータユニットを例示した概略斜視図である。
【図１０】従来例の光ピックアップの要部を例示した概略斜視図である。
【図１１】従来例についての光学ベースとアクチュエータユニットとの位置関係を説明的に示した概略垂直断面図である。
【発明を実施するための形態】
【００２１】
図１は本発明の実施形態に係る光ピックアップの要部の概略斜視図である。図２は図１の実施形態の変形例による光ピックアップの概略平面図である。
【００２２】
実施形態を示した図１、又は、変形例を示した図２の光ピックアップにおいて、アクチュエータユニット１０は、樹脂成形体でなる光学ベース５０の略平坦な上面５１の所定位置に取り付けられている。取り付けには、接着剤５２による接合方法やその他の公知の取付け方法が採用される。この光ピックアップによるディスクの記録面の光学的走査モードでは、光学ベース５０に備わっているガイド孔５５を挿通している主軸５７と、同じく光学ベース５０に備わっているガイド溝部５６を挿通している副軸５８により案内されて、光ピックアップがディスク（不図示）の半径方向Ｙに走行する。
【００２３】
アクチュエータユニット１０の金属製のベース部材１１は、その形状が図９を参照して説明したベース部材１１と同一になっている。ベース部材１１には、光学アクチュエータ２０がフォーカス方向及びトラッキング方向などの多方向に変位可能に取り付けられている。光学アクチュエータ２０を覆っているカバー３０は板金製であり、光学アクチュエータ２０のレンズホルダー２１に装着された対物レンズ２２に臨む開口３２を備えた天板部３１と、この天板部３１の両側に屈曲形成された前後の側板部３３，３４と、天板部３１の一端側に屈曲形成された取付け片部３５とを備えている。そして、側板部３３，３４の端縁部の所定箇所がベース部材１１の前後の側端面１２，１３に重なり状に固定して取り付けられていると共に、取付け片部３５が、ベース部材１１に形成された立上り部１４に固定されている。このアクチュエータユニット１０において、カバー３０は、光学アクチュエータ２０を防塵することに役立っているほか、光学アクチュエータ２０のレンズホルダー２１の変位時の上限位置を規制することにも役立っている。
【００２４】
以上説明した光ピックアップでは、カバー３０に具備されている側板部３３，３４と光学ベース５０に形成されて上記側板部３３，３４に対面する相手面（後述する）とによって形成される遮蔽機構６０を有しているという点だけが、図１０又は図１１に示した従来例と相違している。そして、この遮蔽機構６０は、図１０又は図１１に示した従来例の光ピックアップのアクチュエータユニット１０のカバー３０又は光学ベース５０のうちの両方の構成又はそれらのうちの一方の構成を局部的に変更することだけによって構成されていて、アクチュエータユニット１０のベース部材１１と光学ベース５０の上面５１との間に確保されている隙間空間Ｓ１をその外部から遮蔽する役割を果たしている。ここで、隙間空間Ｓは、光学ベース５０にアクチュエータユニット１０を取り付ける工程でアクチュエータユニット１０を光学ベース５０から少し浮き上がらせた状態で行われる傾き調整のために利用されたものであって、アクチュエータユニット１０を光学ベース５０に取り付けた後でも、その隙間空間Ｓがそのまま残っている。
【００２５】
次に、図３〜図８を参照して遮蔽機構６０の様々な構成や作用を説明する。図３は代表的な遮蔽機構６０を有する光ピックアップの概略縦断面図であり、図４〜図８はその遮蔽機構６０の他の形態を説明的に示した要部の概略断面図である。
【００２６】
図３の光ピックアップの遮蔽機構６０は、当該光ピックアップの前後にそれぞれ設けられている。これらの遮蔽機構６０は、図１１に示した従来例の光ピックアップにおけるカバー３０と光学ベース５０との両方の構成を局部的に変更することによって構成されている。カバー３０についての変更箇所は、カバー３０の側板部３３，３４を、ベース部材１１の端面１２，１３を越えて下方に延長させ、そうすることによって側板部３３，３４を隙間空間Ｓに臨む位置まで延長することにより当該側板部３３，３４に延長片部６１，６２を具備させてある点である。また、光学ベース５０についての変更箇所は、光学ベース５０の上面５１に溝形部６３を形成し、その溝形部６３の両側の内壁面を、その溝形部６３に挿入された上記延長片部６１，６２に対面する相手面６４として形成してある点である。そして、溝形部６３に挿入された上記延長片部６１，６２にそれぞれの上記相手面６４が隙間を隔てた非接触状態で対面している。ここで「延長片部６１，６２」とは、側板部３３，３４に関して、ベース部材１１から下方に突き出て隙間空間Ｓに臨んでいる部分を指している。したがって、それらの延長部分６１，６２は側板部３３，３４に含まれていて、側板部３３，３４の一部を形成している。なお、図３において、２０は光学アクチュエータ、２１はレンズホルダー、２２は対物レンズ、５３は光学ベース５０の光通過孔、５４は光学ベース５０に組み付けられているミラーなどの光学部品５４を示している。
【００２７】
図４の光ピックアップの遮蔽機構６０は、図３に示した遮蔽機構６０の変形例に相当していて、溝形部６３に挿入された上記延長片部６１，６２に、溝形部６３の片側の内壁面でなる相手面６４だけが接触状態で重なり合って対面し、他側の内壁面でなる相手面６４は、延長片部６１，６２に対して隙間を隔てて非接触状態で対面しているという点だけが図３に示した遮蔽機構６０とは相違している。
【００２８】
図５の光ピックアップの遮蔽機構６０も、図１０又は図１１に示した従来例の光ピックアップにおけるカバー３０と光学ベース５０との両方の構成を局部的に変更することによって構成されている。カバー３０についての変更箇所は、カバー３０の側板部３４を、ベース部材１１の端面１３を越えて下方に延長させ、そうすることによって側板部３４を隙間空間Ｓに臨む位置まで延長することにより当該側板部３４に延長片部６２を具備させてある点である。また、光学ベース５０についての変更箇所は、光学ベース５０の上面５１に段付部６５を形成し、その段付部６５の内側壁面を、側板部３４に含まれる上記延長片部６２に外側から隙間を隔てて対面する相手面６４として形成してある点である。
【００２９】
図６の光ピックアップの遮蔽機構６０は図５のに示した遮蔽機構６０の変形例に相当している。この遮蔽機構６０は、図１０又は図１１に示した従来例の光ピックアップにおけるカバー３０と光学ベース５０との両方の構成を局部的に変更することによって構成されている。カバー３０についての変更箇所は、カバー３０の側板部３４を、ベース部材１１の端面１３を越えて下方に延長させ、そうすることによって側板部３４を隙間空間Ｓに臨む位置まで延長することにより当該側板部３４に延長片部６２を具備させてある点である。また、光学ベース５０についての変更箇所は、光学ベース５０の上面５１に段付部６５を形成し、その段付部６５の外側壁面を、側板部３４に含まれる上記延長片部６２に内側から隙間を隔てて対面する相手面６４として形成してある点である。
【００３０】
図７の光ピックアップの遮蔽機構６０も図５の遮蔽機構６０の変形例に相当している。この遮蔽機構６０では、図５の段付部６５に代えて、光学ベース５０の上面５１にリブ６６を立ち上げ、そのリブ６６の内側壁面を、側板部３４に含まれる上記延長片部６２に外側から隙間を隔てて対面する相手面６４として形成してある。
【００３１】
図８の光ピックアップの遮蔽機構６０は、図１０又は図１１に示した従来例の光ピックアップにおける光学ベース５０の構成だけを局部的に変更することによって構成されている。光学ベース５０についての変更箇所は、光学ベース５０の上面５１に、ベース部材１１の端面１３との対向位置に達する高さを備えた背高のリブ６７を形成することによって、そのリブ６７を隙間空間Ｓに臨ませてあると共に、そのリブ６７の壁面を、ベース部材１１の端面に重なり合っているカバー３０の側板部３４の端部に外側から隙間を隔てて非接触状態で対面している相手面６４としてある点である。
【００３２】
なお、図４〜図８では、光ピックアップの前後に設けられている一対の遮蔽機構６０のうちの片側の１つの遮蔽機構６０だけを示しているけれども、他側の遮蔽機構６０も同様の構成を備えている。
【００３３】
図３に示した遮蔽機構６０によると、カバー３０の側板部３３，３４とそれらの側板部３３，３４に対面している光学ベース５０側の相手面６４，６４とによって、アクチュエータユニット１０のベース部材１１と光学ベース５０の上面５１との間の隙間空間Ｓがその外部から遮蔽されている。そのため、隙間空間Ｓの外部からその内部に向かう気流が矢印Ｆで例示したように側板部３３，３４に衝突して側板部３３，３４に沿う方向に流れる。そのため、埃が隙間空間Ｓに侵入することが防止され、ひいては、その埃が光学ベース５０に形成されている光通過孔５３を経てその光学ベース５０に組み付けられているミラーなどの光学部品５４に付着することも防止される。特に、同図の遮蔽機構６０では、カバー３０の側板部３３，３４の延長片部６２，６２が光学ベース５０の溝形部６３に隙間を隔てて非接触状態で挿入されていることにより、隙間空間Ｓの外部から隙間空間Ｓの内部に向かう通路が溝形部６３の内部でＵ字形の迂回路を形成する。そのため、仮に、気流が隙間空間Ｓの外部からその内部に向けて流れたとしても、その気流に同伴する埃は溝形部６３の内部のＵ字形の迂回路で気流から離れ、隙間空間Ｓの内部に侵入しにくくなるという利点がある。図４〜図８に示した遮蔽機構６０によっても略同様の作用が発揮される。なお、図４〜図８を参照して説明した遮蔽機構６０においても、図３を参照説明したところと同様に、矢印Ｆで示したように、隙間空間Ｓの外部からその内部に向かう気流が側板部３３，３４に衝突した後、それらの側板部３３，３４に沿う方向に流れる。
【００３４】
図３〜図８を参照して遮蔽機構６０の様々な態様を説明したけれども、本発明に係る遮蔽機構６０は、カバーの側板部にその一部に含まれる延長片部が形成されているか否かに関係なく、要するに、カバーに具備されている側板部と光学ベースに形成されて側板部に対面する相手面とによって形成されていて、それらの側板部と相手面とによって隙間空間がその外部から遮蔽されている、というものであればよい。
【００３５】
図１に示した実施形態に係る光ピックアップにおいて、カバー３０の側板部３３を延長することによって形成されている延長片部６２のうちのほとんどの部分６２ａは、図３に示した態様で光学ベース５０の溝形部６３に挿入されているけれども、延長片部６２のうちの残りの部分６２ｂは、図６に示した態様で光学ベース５０の段付部６５の相手面６４（図１に現れていない）に対面している。また、図２に示した変形例に係る光ピックアップにおいては、カバー３０の側板部３３を延長することによって形成されている延長片部６２の全体が、図３に示した態様で光学ベース５０の溝形部６３に挿入されている。
【符号の説明】
【００３６】
１０  アクチュエータユニット
１１  ベース部材
２０  光学アクチュエータ
２２  対物レンズ
３０  カバー
３２  開口
３３，３４  側板部
５０  光学ベース
６０  遮蔽機構
６２  延長片部
６３  溝形部
６４  相手面
Ｓ  隙間空間
【図１】
2012155809.tif 000003
【図２】
2012155809.tif 000004
【図３】
2012155809.tif 000005
【図４】
2012155809.tif 000006
【図５】
2012155809.tif 000007
【図６】
2012155809.tif 000008
【図７】
2012155809.tif 000009
【図８】
2012155809.tif 000010
【図９】
2012155809.tif 000011
【図１０】
2012155809.tif 000012
【図１１】
2012155809.tif 000013